(57)【要約】      （修正有）【課題】双眼レンズタイプ用の映像コンテンツと単眼レンズタイプ用の映像コンテンツとの両方を観察可能な端末閲覧器具を提供する。【解決手段】端末閲覧器具１００は、単眼レンズと、単眼レンズを保持する単眼レンズ保持部１０と、双眼レンズ２３と、双眼レンズ２３を保持する双眼レンズ保持部２０と、単眼レンズ及び双眼レンズ２３のいずれを用いて映像表示端末の表示を観察可能とするのかを、映像表示端末を保持する状態を変えることにより切換えて映像表示端末を保持可能な端末保持部と、単眼レンズ保持部１０と双眼レンズ保持部２０とを接続する接続部３０とを備える。【選択図】図１
2018097069.tif 000002
【特許請求の範囲】
【請求項１】
単一の開口部を有する第一の壁面と、
前記単一の開口部に対向する位置に設けられる複数の開口部を有する第二の壁面と、
前記第一及び前記第二の壁面の間に、表示装置の表示面がいずれかの開口部を向くように前記表示装置を保持する端末保持部と、
を備えることを特徴とする端末閲覧器具。
【請求項２】
請求項１に記載の端末閲覧器具において、
折り目を有する単一の板状部材又はシート状部材からなること、
を特徴とする端末閲覧器具。
【請求項３】
請求項１又は請求項２に記載の端末閲覧器具において、
前記各開口部に対応する位置に配置される複数のレンズを有すること、
を特徴とする端末閲覧器具。
【請求項４】
請求項３に記載の端末閲覧器具において、
前記各壁面の周縁部に垂直方向に設けられた壁面に前記レンズを嵌め込む係合部を有すること、
を特徴とする端末閲覧器具。
【請求項５】
請求項３又は請求項４に記載の端末閲覧器具において、
前記レンズは、フレネルレンズにより構成されていること、
を特徴とする端末閲覧器具。
【請求項６】
請求項１から請求項５までのいずれか１項に記載の端末閲覧器具において、
前記第一及び／又は前記第二の壁面を塞ぐ少なくとも１つの蓋部を備えること、
を特徴とする端末閲覧器具。
【請求項７】
請求項６に記載の端末閲覧器具において、
前記蓋部は、対向して設けられる２つの部材からなること、
を特徴とする端末閲覧器具。
【請求項８】
請求項１から請求項７までのいずれか１項に記載の端末閲覧器具において、
前記第二の壁面から前記端末保持部との間で前記複数の開口部間に設けられる前記第二の壁面に対して垂直方向の仕切り部を備えること、
を特徴とする端末閲覧器具。
【請求項９】
請求項８に記載の端末閲覧器具において、
前記仕切り部は、その他を構成する部材とは異なる部材からなること、
を特徴とする端末閲覧器具。
【請求項１０】
請求項１から請求項９までのいずれか１項に記載の端末閲覧器具において、
前記第一及び前記第二の壁面のうち少なくとも１つは、各壁面の周縁部に垂直方向に設けられた壁面の端部より内側に配置されること、
を特徴とする端末閲覧器具。
【請求項１１】
請求項１から請求項１０までのいずれか１項に記載の端末閲覧器具において、
前記第一及び前記第二の壁面のうち少なくとも１つは、一辺の略中央付近に内側に凹んだ凹部が設けられていること、
を特徴とする端末閲覧器具。
【請求項１２】
請求項１１に記載の端末閲覧器具において、
前記凹部は、前記第一及び前記第二の壁面に対して垂直方向の切断面が台形形状であること、
を特徴とする端末閲覧器具。
【発明の詳細な説明】
【技術分野】
【０００１】
本発明は、映像表示端末を保持する端末閲覧器具に関するものである。
【背景技術】
【０００２】
従来、バーチャルリアリティ（ＶＲ）、オーグメンテッドリアリティ（ＡＲ）等を体験できる箱型の端末閲覧器具があった（例えば非特許文献１）。
このような端末閲覧器具としては、非特許文献１に記載されているようにレンズが２つ設けられている双眼レンズタイプのものの他、１つのレンズを用いる単眼レンズタイプのものが知られている。
【０００３】
非特許文献１に開示されているような双眼レンズタイプのものでは、例えば、表示画面を２画面に分割して表示する映像コンテンツを観察するために最適化されており、単一の画面表示を行う映像コンテンツを正常に観察することができなかった。その逆に、単眼レンズタイプのものでは、表示画面を２画面に分割して表示する映像コンテンツを正常に観察することができなかった。
したがって、従来は、観察する映像コンテンツに応じて、双眼レンズタイプのものと、単眼レンズタイプのものをそれぞれ用意する必要があった。
【先行技術文献】
【非特許文献】
【０００４】
【非特許文献１】“ルクラスダブル（２眼）スペック情報”、［ｏｎｌｉｎｅ］、［平成２８年４月１５日検索］、インターネット＜ＵＲＬ：ｈｔｔｐ：／／ｖｒｉｎｓｉｄｅ．ｊｐ／ｒｕｋｕｒａｓｕ２／＞
【発明の概要】
【発明が解決しようとする課題】
【０００５】
本発明の課題は、双眼レンズタイプ用の映像コンテンツと単眼レンズタイプ用の映像コンテンツとの両方を観察可能な端末閲覧器具を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、単一の開口部（１２ａ）を有する第一の壁面（１２）と、前記単一の開口部（１２ａ）に対向する位置に設けられる複数の開口部（２２ａ）を有する第二の壁面（２２）と、前記第一及び前記第二の壁面（１２，２２）の間に、表示装置（５００）の表示面がいずれかの開口部（１２ａ，２２ａ）を向くように前記表示装置（５００）を保持する端末保持部（１１ｆ、２１ｆ、３０）と、を備えることを特徴とする端末閲覧器具（１００）である。
【０００８】
第２の発明は、第１の発明に記載の端末閲覧器具（１００）において、折り目を有する単一の板状部材又はシート状部材からなること、を特徴とする端末閲覧器具（１００）である。
【０００９】
第３の発明は、第１の発明又は第２の発明に記載の端末閲覧器具（１００）において、前記各開口部（１２ａ，２２ａ）に対応する位置に配置される複数のレンズ（１３，２３）を有すること、を特徴とする端末閲覧器具（１００）である。
【００１０】
第４の発明は、第３の発明に記載の端末閲覧器具（１００）において、前記各壁面の周縁部に垂直方向に設けられた壁面に前記レンズ（１３，２３）を嵌め込む係合部（１１ｇ）を有すること、を特徴とする端末閲覧器具（１００）である。
【００１１】
第５の発明は、第３の発明又は第４の発明に記載の端末閲覧器具（１００）において、前記レンズ（１３，２３）は、フレネルレンズにより構成されていること、を特徴とする端末閲覧器具（１００）である。
【００１２】
第６の発明は、第１の発明から第５の発明までのいずれかに記載の端末閲覧器具（１００）において、前記第一及び／又は前記第二の壁面（１２，２２）を塞ぐ少なくとも１つの蓋部（１４，１５，２４，２５）を備えること、を特徴とする端末閲覧器具（１００）である。
【００１３】
第７の発明は、第６の発明に記載の端末閲覧器具（１００）において、前記蓋部（１４，１５，２４，２５）は、対向して設けられる２つの部材からなること、を特徴とする端末閲覧器具（１００）である。
【００１４】
第８の発明は、第１の発明から第７の発明までのいずれかに記載の端末閲覧器具（１００）において、前記第二の壁面（２２）から前記端末保持部（１１ｆ、２１ｆ、３０）との間で前記複数の開口部（２２ａ）間に設けられる前記第二の壁面（２２）に対して垂直方向の仕切り部（２６）を備えること、を特徴とする端末閲覧器具（１００）である。
【００１５】
第９の発明は、第８の発明に記載の端末閲覧器具（１００）において、前記仕切り部（２６）は、その他を構成する部材とは異なる部材からなること、を特徴とする端末閲覧器具（１００）である。
【００１６】
第１０の発明は、第１の発明から第９の発明までのいずれかに記載の端末閲覧器具（１００）において、前記第一及び前記第二の壁面（１２，２２）のうち少なくとも１つは、各壁面の周縁部に垂直方向に設けられた壁面の端部より内側に配置されること、を特徴とする端末閲覧器具（１００）である。
【００１７】
第１１の発明は、第１の発明から第１０の発明までのいずれかに記載の端末閲覧器具（１００）において、前記第一及び前記第二の壁面（１２，２２）のうち少なくとも１つは、一辺の略中央付近に内側に凹んだ凹部（２２ｂ）が設けられていること、を特徴とする端末閲覧器具（１００）である。
【００１８】
第１２の発明は、第１１の発明に記載の端末閲覧器具（１００）において、前記凹部（２２ｂ）は、前記第一及び前記第二の壁面（１２，２２）に対して垂直方向の切断面が台形形状であること、を特徴とする端末閲覧器具（１００）である。
【発明の効果】
【００１９】
本発明によれば、端末閲覧器具は、双眼レンズタイプ用の映像コンテンツと単眼レンズタイプ用の映像コンテンツとの両方を観察可能とすることができる。
【図面の簡単な説明】
【００２０】
【図１】端末閲覧器具を双眼側の斜め上方から示す斜視図である。
【図２】図１と同様な方向から端末閲覧器具を異なる状態で示す斜視図である。
【図３】端末閲覧器具を双眼側の斜め下方から示す斜視図である。
【図４】端末閲覧器具を単眼側の斜め上方から示す斜視図である。
【図５】図４と同様な方向から端末閲覧器具を異なる状態で示す斜視図である。
【図６】接続部で端末閲覧器具を９０°曲げて開いた状態を示す図である。
【図７】＋Ｘ側から見た正面図である。
【図８】−Ｘ側から見た背面図である。
【図９】＋Ｙ側から見た右側面図である。
【図１０】−Ｙ側から見た左側面図である。
【図１１】＋Ｚ側から見た平面図である。
【図１２】−Ｚ側から見た底面図である。
【図１３】図９中に矢印Ａ−Ａで示した位置で切断した断面図である。
【図１４】図９中に矢印Ｂ−Ｂで示した位置で切断した断面図である。
【図１５】図７中に矢印Ｃ−Ｃで示した位置で切断した断面図である。
【図１６】本体を内側から見た展開図である。
【図１７】仕切り部を内側から見た展開図である。
【図１８】本体を外側から見た展開図である。
【図１９】打抜きレイアウトの例を示す図である。
【図２０】折り畳み状態を双眼側から見た図である。
【図２１】折り畳み状態を単眼側から見た図である。
【図２２】仕切り部の折り畳み状態を説明するために折り畳み前を示す図である。
【図２３】仕切り部の折り畳み状態を説明するために折り畳み後を示す図である。
【図２４】折り畳み状態における接続部の作用を説明する図である。
【図２５】単眼レンズを示す図である。
【図２６】双眼レンズを示す図である。
【図２７】使用状態の一例を示す図である。
【図２８】使用状態を他の方向から示す図である。
【図２９】正面、平面及び左側面を表す図である。
【図３０】正面、底面及び左側面を表す図である。
【図３１】背面、平面及び右側面を表す図である。
【図３２】使用状態の一例を示す正面、平面及び右側面を表す斜視図である。
【発明を実施するための形態】
【００２１】
以下、本発明を実施するための最良の形態について図面等を参照して説明する。
【００２２】
（実施形態）
なお、以下に示す図中及び以下の説明において、理解を容易にするために、ＸＹＺ直交座標系を設けた。この座標系は、基本的には、端末閲覧器具１００を通常想定される使用状態に配置した場合において、奥行方向をＹ方向とし、左右方向をＸ方向とし、鉛直方向をＺ方向とした。
なお、通常想定される使用状態とは、利用者が観察方向、すなわち、端末閲覧器具１００の奥行方向をＹ方向に平行にし、かつ、端末閲覧器具１００の双眼レンズ２３に対応した左右に並ぶ観察孔２２ａの並ぶ方向を左右方向のＸ方向に平行にした状態である。Ｙ方向Ｙ、Ｘ方向Ｘは、水平方向の軸である。
また、一部の図においては、端末閲覧器具１００の形態が変形していたり、部材単体の状態を示していたりするので、そのような図においては、座標を設けていなかったり、主要な部位を上記座標に合せて示す等している。
【００２３】
図１は、端末閲覧器具を双眼側の斜め上方から示す斜視図である。
図２は、図１と同様な方向から端末閲覧器具を異なる状態で示す斜視図である。
図３は、端末閲覧器具を双眼側の斜め下方から示す斜視図である。
図４は、端末閲覧器具を単眼側の斜め上方から示す斜視図である。
図５は、図４と同様な方向から端末閲覧器具を異なる状態で示す斜視図である。
図６は、接続部で端末閲覧器具を９０°曲げて開いた状態を示す図である。
図７は、＋Ｘ側から見た正面図である。
図８は、−Ｘ側から見た背面図である。
図９は、＋Ｙ側から見た右側面図である。
図１０は、−Ｙ側から見た左側面図である。
図１１は、＋Ｚ側から見た平面図である。
図１２は、−Ｚ側から見た底面図である。
図１３は、図９中に矢印Ａ−Ａで示した位置で切断した断面図である。
図１４は、図９中に矢印Ｂ−Ｂで示した位置で切断した断面図である。
図１５は、図７中に矢印Ｃ−Ｃで示した位置で切断した断面図である。
図１６は、本体を内側から見た展開図である。
図１７は、仕切り部を内側から見た展開図である。
図１８は、本体を外側から見た展開図である。
図１９は、打抜きレイアウトの例を示す図である。
図２０は、折り畳み状態を双眼側から見た図である。
図２１は、折り畳み状態を単眼側から見た図である。
図２２は、仕切り部の折り畳み状態を説明するために折り畳み前を示す図である。
図２３は、仕切り部の折り畳み状態を説明するために折り畳み後を示す図である。
図２４は、折り畳み状態における接続部の作用を説明する図である。
図２５は、単眼レンズを示す図である。
図２６は、双眼レンズを示す図である。
図２７は、使用状態の一例を示す図である。
図２８は、使用状態を他の方向から示す図である。
図２９は、正面、平面及び左側面を表す図である。
図３０は、正面、底面及び左側面を表す図である。
図３１は、背面、平面及び右側面を表す図である。
図３２は、使用状態の一例を示す正面、平面及び右側面を表す斜視図である。
【００２４】
なお、各図は、必要に応じて適宜模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、形状や幾何学的条件を特定する用語、例えば、平行や直交等の用語については、厳密に意味するところに加え、同様の光学的機能を奏し、平行や直交と見なせる程度の誤差を有する状態も含むものとする。
また、本明細書において、板、シート等の言葉を使用しているが、これらは、一般的な使い方として、厚さの厚い順に、板、シートの順で使用されており、本明細書中でもそれに倣って使用している。しかし、このような使い分けには、技術的な意味は無いので、これらの文言は、適宜置き換えることができるものとする。
【００２５】
端末閲覧器具（以下、保持具とも呼ぶ）１００は、単眼レンズ保持部１０と、双眼レンズ保持部２０と、接続部３０とを備えている。保持具１００は、単眼レンズ１３及び双眼レンズ２３を除くと、紙や各種樹脂を素材としたシート状の材料から形成されており、図１６から図１８に示すような展開形状に切り出された中間体を一部に接着等を利用して組み立てて構成されている。そして、保持具１００は、後述する端末保持部（１１ｆ、２１ｆ、３０）に映像表示端末５００を保持した状態で、映像表示端末５００に表示される映像を拡大して観察可能とするものである。
【００２６】
単眼レンズ保持部１０は、筒状部１１と、単眼レンズ配置部１２と、単眼レンズ蓋部１４，１５とを備えており、単眼レンズ１３を保持する部位である。
【００２７】
筒状部１１は、Ｙ方向に貫通する筒状に形成されている。筒状部１１は、Ｙ方向に沿った方向から見たときに矩形形状をしており、底面１１ａ、上面１１ｂ、正面１１ｃ、背面１１ｄを有している。
底面１１ａは、ＸＹ平面に平行な面である。
上面１１ｂは、底面１１ａよりも＋Ｚ側にあって、ＸＹ平面に平行、すなわち、底面１１ａに平行な面である。
正面１１ｃは、底面１１ａ及び上面１１ｂそれぞれの＋Ｘ側に接続されており、ＹＺ平面に平行な面である。
背面１１ｄは、正面１１ｃよりも−Ｘ側にあって、底面１１ａ及び上面１１ｂのそれぞれの−Ｘ側に接続されており、ＹＺ平面に平行、すなわち、正面１１ｃに平行な面である。
筒状部１１を展開形状から筒状に構成するためには、正面１１ｃと底面１１ａとの境界となる稜線、及び、背面１１ｄと上面１１ｂとの境界となる稜線、及び、背面１１ｄと底面１１ａとの境界となる稜線の位置において、いずれも展開状態から折曲げる。そして、上面１１ｂの＋Ｘ側に繋がって構成されているのりしろ部１１ｅを曲げて、これを正面１１ｃの＋Ｚ側端部の内側に接着剤（不図示）を介して接合することにより、筒状部１１の筒状の形状が得られる。ただし、筒状部１１だけでは、筒状の形状を保持することはできず、折り癖及び自重にしたがって自由な状態となる。
【００２８】
単眼レンズ配置部（第一の壁面）１２は、筒状部１１の一端側、より具体的には、＋Ｙ側の端部から所定距離だけ−Ｙ側に奥まった位置に配置されており、ＸＺ面に平行な面である。単眼レンズ配置部１２は、底面１１ａの＋Ｙ側に接続されており、この底面１１ａの＋Ｙ側において底面１１ａと単眼レンズ配置部１２との境界となる稜線の位置を折曲げることにより、ＸＺ面に平行に立ち上がっている。
単眼レンズ配置部１２の中央の大部分を占める領域は、観察孔（開口部）１２ａが開口している。
一方、筒状部１１の他端側、すなわち、−Ｙ側の端部は、開放された単眼側開放端部１１ｆが形成されている。
【００２９】
上述のように、単眼レンズ配置部１２は、筒状部１１の＋Ｙ側の端部から所定距離だけ−Ｙ側に奥まった位置に配置されている。これを別の観点から見ると、上面１１ｂと、正面１１ｃと、背面１１ｄとが、単眼レンズ１３を利用する場合の観察者側、すなわち、＋Ｙ側へ向かって突出した突出部として構成されていることになる。このうち、特に、上面１１ｂの＋Ｙ側の端部１１ｈは、緩やかに−Ｙ側へ窪んだＲ形状に形成されており、この端部１１ｈが観察者の顔面（通常の使い方であれば額）に当接することにより、観察者の目と単眼レンズ１３との間の距離を所定の距離とする機能を備えている。単眼レンズ１３は、観察者の目から所定の距離を空けて観察すると、良好な画像を観察することができる。この時、保持具１００を顔面から離して手だけで支えるようにすると、手が疲れたり、単眼レンズ１３と観察者の目との距離が不安定になったりするおそれがある。しかし、本実施形態では、上面１１ｂの＋Ｙ側の端部１１ｈが観察者の顔面に当接するので、使い勝手がよいものとなっている。さらに、正面１１ｃと、背面１１ｄとが周囲を覆うので、不要な外来光の影響を受けることなく、良好な観察環境を提供可能である。
【００３０】
単眼レンズ１３は、１つのレンズが形成された略矩形形状に形成されたシート状のレンズ部材である。具体的には、本実施形態の単眼レンズ１３は、図２５に示すように単眼レンズ１３の中央から同心円状に微細なレンズ形状を繰り返し配置したフレネルレンズにより構成されたフレネルレンズ部１３ａを中央に備えている。このフレネルレンズ部１３ａの範囲は、単眼レンズ配置部１２の観察孔１２ａよりもわずかに広く形成されている。フレネルレンズ部１３ａを除く領域は、レンズとしての機能を持たずに、単なる平板状に形成されている。観察時には、観察者が両目でこの単眼レンズ１３を介して、映像表示端末５００に表示される映像を観察可能である。単眼レンズ１３をフレネルレンズにより構成することにより、単眼レンズ１３を薄く構成することができ、保持具１００の折り畳み状態における厚さを薄くすることができる。
なお、単眼レンズ１３は、フレネルレンズに限らず、光学ガラスや光学樹脂を用いた通常の凸レンズにより構成してもよい。単眼レンズ１３は、単眼レンズ配置部１２の内側に不図示の接着材を用いて貼り付けられている。
【００３１】
また、単眼レンズ１３は、レンズ突出部１３ｂを有している。レンズ突出部１３ｂは、図４等に示す使用状態において、単眼レンズ配置部１２の外形形状よりも＋Ｚ側へ突出して設けられている。そして、レンズ突出部１３ｂは、筒状部１１の上面１１ｂに設けられた係合部１１ｇに差し込まれて係合している。これにより単眼レンズ１３及び単眼レンズ配置部１２は、筒状部１１の一端側、すなわち、＋Ｙ側の端部においてその位置を固定することが可能である。また、レンズ突出部１３ｂを係合部１１ｇから取り外すだけで、単眼レンズ１３及び単眼レンズ配置部１２を筒状部１１から離れる方向へ移動させることができ、筒状部１１を折り畳み可能な状態とできる。
【００３２】
単眼レンズ蓋部１４，１５は、それぞれ、正面１１ｃ，背面１１ｄに繋がって＋Ｙ方向に延在して突出している。単眼レンズ蓋部１４，１５は、基本的には、ＹＺ平面に平行な面で構成されているが、それぞれ、正面１１ｃ，背面１１ｄとの境界線で折り曲げ可能であるので、例えば、図２、図５のように開いた状態となることができる。また、単眼レンズ蓋部１４，１５には、それぞれ、係合爪部１４ａ，１５ａが設けられている。係合爪部１４ａと係合爪部１５ａとは、互いに係合可能な形状となっている。
単眼レンズ蓋部１４，１５は、図１から図５等では、単眼レンズ１３を覆わずに開放する位置にある。また、単眼レンズ蓋部１４，１５は、図１４に二点鎖線で示したように単眼レンズ１３を外側から覆って閉じる位置に移動することができる。この閉じる位置に単眼レンズ蓋部１４，１５があるときに、係合爪部１４ａと係合爪部１５ａとを互いに係合させることにより単眼レンズ蓋部１４，１５を閉じた状態に保持することができる。
【００３３】
双眼レンズ保持部２０は、筒状部２１と、双眼レンズ配置部２２と、双眼レンズ蓋部２４，２５と、仕切り部２６とを備えており、双眼レンズ２３を保持する部位である。
【００３４】
筒状部２１は、Ｙ方向に貫通する筒状に形成されている。筒状部２１は、Ｙ方向に沿った方向から見たときに単眼レンズ保持部１０の筒状部１１と同一形状になる矩形形状をしており、底面２１ａ、上面２１ｂ、正面２１ｃ、背面２１ｄを有している。
底面２１ａは、ＸＹ平面に平行な面である。
上面２１ｂは、底面２１ａよりも＋Ｚ側にあって、ＸＹ平面に平行、すなわち、底面２１ａに平行な面である。
正面２１ｃは、底面２１ａ及び上面２１ｂそれぞれの＋Ｘ側に接続されており、ＹＺ平面に平行な面である。
背面２１ｄは、正面２１ｃよりも−Ｘ側にあって、底面２１ａ及び上面２１ｂのそれぞれの−Ｘ側に接続されており、ＹＺ平面に平行、すなわち、正面２１ｃに平行な面である。
筒状部２１を展開形状から筒状に構成するためには、正面２１ｃと底面２１ａとの境界となる稜線、及び、背面２１ｄと上面２１ｂとの境界となる稜線、及び、背面２１ｄと底面２１ａとの境界となる稜線の位置において、いずれも展開状態から折曲げる。そして、上面２１ｂの＋Ｘ側に繋がって構成されているのりしろ部２１ｅを曲げて、これを正面２１ｃの＋Ｚ側端部の内側に接着剤（不図示）を介して接合することにより、筒状部２１の筒状の形状が得られる。ただし、筒状部２１だけでは、筒状の形状を保持することはできず、折り癖及び自重にしたがって自由な状態となる。
【００３５】
双眼レンズ配置部（第二の壁面）２２は、筒状部２１の一端側、すなわち、−Ｙ側の端部に配置されており、ＸＺ面に平行な面である。
双眼レンズ配置部２２は、底面２１ａの−Ｙ側に接続されており、この底面２１ａの−Ｙ側において底面２１ａと単眼レンズ配置部１２との境界となる稜線（接続辺２２ｃ）の位置を折曲げることにより、ＸＺ面に平行に立ち上がっている。
また、双眼レンズ配置部２２の＋Ｚ側の端部には、差し込み部２７が双眼レンズ配置部２２から突出して設けられている。この差し込み部２７が上面２１ｂに当接しながら差し込まれることにより、双眼レンズ配置部２２は、筒状部２１の一端側、すなわち、−Ｙ側の端部においてその位置を固定することが可能である。また、差し込み部２７を取り外すだけで、双眼レンズ２３及び双眼レンズ配置部２２を筒状部２１から離れる方向へ移動させることができ、筒状部２１を折り畳み可能な状態とできる。
【００３６】
双眼レンズ配置部２２には、観察者が双眼レンズ２３を介して映像表示端末５００を観察するための２つの観察孔（開口部）２２ａが左右方向（Ｘ方向）に並んで配置されている。
一方、筒状部２１の他端側、すなわち、＋Ｙ側の端部は、開放された双眼側開放端部２１ｆが形成されている。
【００３７】
また、双眼レンズ配置部２２には、観察者の鼻を逃げる凹部２２ｂが設けられている。
凹部２２ｂは、底面２１ａと双眼レンズ配置部２２との間の接続辺２２ｃの折曲げ線とは位置がずれた凹部折曲げ線２２ｄ，２２ｅ，２２ｈにおいて双眼レンズ配置部２２及び底面２１ａの一部を内側へ折曲げることにより構成されている。このように折曲げ位置をずらして凹部２２ｂを構成することにより、図１３に示すように凹部２２ｂの壁面２２ｆをＸＹ平面に平行に構成し、かつ、凹部２２ｂの上面２２ｇをＸＺ平面に平行に構成することができる。
凹部２２ｂは、双眼レンズ配置部２２に対して垂直方向の切断面が台形形状に形成されており、自然に観察者の鼻を受け入れることができる形状となっている。
また、凹部２２ｂを構成する壁面２２ｆ及び上面２２ｇ、双眼レンズ２３を用いて映像表示端末５００を観察する視界を避けた位置に設けられている。
【００３８】
仕切り部２６は、双眼レンズ２３が有する２つのレンズ光軸の間を仕切る板状に構成された部材である。仕切り部２６は、筒状部２１とは別体に構成されており、図１７に示すように線対称に構成した部材を線対称軸の位置で折曲げて仕切り部２６の部材を形成している。これにより、仕切り部２６の強度を高めている。そして、仕切り部２６は、筒状部２１に形成された係合孔２１ｇ，２１ｈに係合させることにより、双眼レンズ２３の２つのレンズそれぞれが観察可能な領域を完全に分離している。
なお、仕切り部２６は、上述のように、筒状部２１とは別体で構成されているが、図１９に示す打抜きレイアウトの例のように、仕切り部２６の配置を、筒状部２１等を構成する部材が配置されない余白部分に配置することにより、無駄なく素材を利用することが可能である。
【００３９】
双眼レンズ２３は、左右方向（Ｘ方向）に２つのレンズを配置したシート状の光学部材である。この２つのレンズは、同じ光学特性を備えており、上述の２つの観察孔２２ａに対応した位置に設けられている。本実施形態の双眼レンズ２３は、図２６に示すように同心円状に微細なレンズ形状を繰り返し配置したフレネルレンズにより構成されたフレネルレンズ部２３ａを２つ備えている。このフレネルレンズ部２３ａの範囲は、双眼レンズ配置部２２の観察孔２２ａよりもわずかに広く形成されている。フレネルレンズ部２３ａを除く領域は、レンズとしての機能を持たずに、単なる平板状に形成されている。観察時には、観察者が左右の目それぞれでこの双眼レンズ２３の２つのフレネルレンズ部２３ａを介して、映像表示端末５００に表示される映像を観察可能である。双眼レンズ２３をフレネルレンズにより構成することにより、双眼レンズ２３を薄く構成することができ、保持具１００の折り畳み状態における厚さを薄くすることができる。
なお、双眼レンズ２３は、フレネルレンズに限らず、光学ガラスや光学樹脂を用いた通常の凸レンズにより構成してもよい。双眼レンズ２３は、双眼レンズ配置部２２の内側に不図示の接着材を用いて貼り付けられている。
【００４０】
双眼レンズ蓋部２４，２５は、それぞれ、正面２１ｃ，背面２１ｄに繋がって−Ｙ方向に延在して突出している。双眼レンズ蓋部２４，２５は、基本的には、ＹＺ平面に平行な面で構成されているが、それぞれ、正面２１ｃ，背面２１ｄとの境界線で折り曲げ可能であるので、例えば、図２、図５のように開いた状態となることができる。また、双眼レンズ蓋部２４，２５には、それぞれ、係合爪部２４ａ，２５ａが設けられている。係合爪部２４ａと係合爪部２５ａとは、互いに係合可能な形状となっている。
双眼レンズ蓋部２４，２５は、図１から図５等では、双眼レンズ２３を覆わずに開放する位置にある。また、双眼レンズ蓋部２４，２５は、図１４に二点鎖線で示したように双眼レンズ２３を外側から覆って閉じる位置に移動することができる。この閉じる位置に双眼レンズ蓋部２４，２５があるときに、係合爪部２４ａと係合爪部２５ａとを互いに係合させることにより双眼レンズ蓋部２４，２５を閉じた状態に保持することができる。
【００４１】
ここで、先に説明した単眼レンズ蓋部１４，１５における係合量と、双眼レンズ蓋部２４，２５における係合量とは、異なる係合量に設定されている。具体的には、単眼レンズ蓋部１４，１５における係合量よりも双眼レンズ蓋部２４，２５における係合量の方が小さく設定されている。双眼レンズ保持部２０では、双眼レンズ蓋部２４，２５が双眼レンズ配置部２２の直ぐ側に配置されており、また、凹部２２ｂを有し、さらに、仕切り部２６が配置されている。これに対して、単眼レンズ保持部１０では、単眼レンズ蓋部１４，１５が単眼レンズ配置部１２から離れた位置にあり、また、内部に仕切り部２６に相当する部材も存在しない。したがって、双眼レンズ保持部２０の方が単眼レンズ保持部１０よりも相対的に強度が高い。係合爪部１４ａと係合爪部１５ａとを互いに係合（又は係合解除）させる場合、及び、係合爪部２４ａと係合爪部２５ａとを互いに係合（又は係合解除）させる場合には、それぞれ、単眼レンズ保持部１０及び双眼レンズ保持部２０の全体を撓ませながら係合（又は係合解除）を行う。したがって、係合爪部２４ａと係合爪部２５ａとを互いに係合（又は係合解除）させる方が、係合爪部１４ａと係合爪部１５ａとを互いに係合（又は係合解除）させる場合よりも変形に対する抵抗力が強く、係合作業及び係合解除作業が困難である。よって、上述のように、単眼レンズ蓋部１４，１５における係合量よりも双眼レンズ蓋部２４，２５における係合量の方が小さく設定し、それぞれの側で最適な係合量に設定可能としている。
【００４２】
接続部３０は、底面１１ａの−Ｙ側と底面２１ａの＋Ｙ側とにそれぞれ繋がって形成されており、単眼レンズ保持部１０と双眼レンズ保持部２０とを接続する。したがって、接続部３０は、単眼側開放端部１１ｆと双眼側開放端部２１ｆとが対向なように単眼側開放端部１１ｆの一部と双眼側開放端部２１ｆの一部とを接続している。
また、接続部３０は、単眼側開放端部１１ｆと双眼側開放端部２１ｆとが対向する閉状態と、単眼側開放端部１１ｆと双眼側開放端部２１ｆとが相対的に離れた開状態との間で単眼側開放端部１１ｆと双眼側開放端部２１ｆとが相対的に移動可能な状態で両者を接続している。これは、接続部３０と底面１１ａの−Ｙ側との境界線、及び、接続部３０と底面２１ａの＋Ｙ側との境界線が折れ曲がり可能であることにより実現されている。
【００４３】
これら、単眼側開放端部１１ｆと双眼側開放端部２１ｆと接続部３０とにより端末保持部（端末挟持部）が構成されている。この端末保持部（１１ｆ、２１ｆ、３０）は、映像表示端末５００を単眼側開放端部１１ｆと双眼側開放端部２１ｆとにより挟み込んで挟持することにより映像表示端末５００を保持可能である。そして、端末保持部（１１ｆ、２１ｆ、３０）は、単眼レンズ１３及び双眼レンズ２３のいずれを用いて映像表示端末５００の表示を観察可能とするのかを、映像表示端末５００を保持する状態を変えることにより切換えて映像表示端末５００を保持可能である。例えば、スマートフォン等を映像表示端末５００として用いる場合に、表示面の向きを単眼レンズ１３側に向けて端末保持部（１１ｆ、２１ｆ、３０）で保持すれば、単眼レンズ１３で映像を観察可能である。また、映像表示端末５００の表示面の向きを双眼レンズ２３側に向けて端末保持部（１１ｆ、２１ｆ、３０）で保持すれば、双眼レンズ２３で映像を観察可能である。このように、本実施形態の保持具１００では、単眼レンズ用のコンテンツも、双眼レンズ用のコンテンツも、簡単に切換えて利用可能である。また、映像表示端末５００は、接続部３０の幅以下の厚さのものであれば、どのような厚さの映像表示端末５００であっても利用可能であり、非常に汎用性の高いものとすることができる。
【００４４】
図２７及び図２８には、単眼レンズ１３で映像を観察する場合の使用状態を一例として示しているが、この場合には、双眼レンズ蓋部２４，２５を用いて双眼レンズ２３を外側から覆って利用する。このようにすることにより、映像表示端末５００を保持しない状態で単眼レンズ１３を介して強い光源を観察してしまうことを防止できる。また、図示はしないが、双眼レンズ２３で映像を観察する場合には、単眼レンズ蓋部１４，１５を用いて単眼レンズ１３を外側から覆って利用する。このように、単眼レンズ蓋部１４，１５及び双眼レンズ蓋部２４，２５を設けたことにより、より安全に保持具１００を利用可能である。また、単眼レンズ蓋部１４，１５及び双眼レンズ蓋部２４，２５は、蓋として利用しない側では、左右方向からの外来光が観察者の目に届くことを遮り、より映像への没入感を向上させることができる。
【００４５】
また、単眼レンズ１３及び双眼レンズ２３を除く保持具１００を構成する部材は、板状部材又はシート状部材を折曲げて組み立てることにより構成されているので、簡単に折り畳むことが可能であり、使用状態と折り畳み状態との間で変形可能である。
具体的には、保持具１００は、単眼レンズ配置部１２を筒状部１１から離し、双眼レンズ配置部２２を筒状部２１から離すことにより、折り畳みが可能である。
折り畳みを行う場合には、先ず、筒状部１１及び筒状部２１をつぶすように折り畳む。このとき、仕切り部２６は、取り外してもよいが、取り外さずに、仕切り部２６を取付けた状態のまま折り畳み状態に変形可能である。図２２及び図２３に、この状態を図示した。双眼レンズ配置部２２を筒状部２１から離すことにより、仕切り部２６を含めて平行リンク機構のような構成となっており、また、各部が適度に撓むことにより、仕切り部２６の有無に関わらずに容易に折り畳みが可能である。
【００４６】
筒状部１１及び筒状部２１をつぶすように折り畳んだ後に、さらに、接続部３０において折り曲げて、単眼レンズ保持部１０及び双眼レンズ保持部２０が重なるようにすると、図２０及び図２１に示すような折り畳み状態とすることができる。
ここで、接続部３０のマチ幅Ｌは、図２４に示すように、折り畳み状態において内側に単眼レンズ保持部１０及び双眼レンズ保持部２０を折り畳んだ厚さ以上の幅になっている。これにより、折り畳み状態における単眼レンズ保持部１０及び双眼レンズ保持部２０の収まり状態が良好で有り、異形に膨らんだりすることなく折り畳むことが可能である。
このように接続部３０のマチ幅Ｌは、対応可能な映像表示端末５００の厚さという観点と、折り畳み状態における収まり状態という観点から、適切な値に設定することが望ましい。
【００４７】
以上説明したように、本実施形態の端末閲覧器具１００は、単眼レンズ１３及び双眼レンズ２３のいずれを用いて映像表示端末５００の表示を観察可能とするのかを、映像表示端末５００を保持する状態を変えることにより切換えて映像表示端末５００を保持可能な端末保持部（１１ｆ、２１ｆ、３０）を備えている。したがって、端末閲覧器具１００は、双眼レンズタイプ用の映像コンテンツと単眼レンズタイプ用の映像コンテンツとの両方を観察可能である。
【００４８】
（変形形態）
以上説明した実施形態に限定されることなく、種々の変形や変更が可能であって、それらも本発明の範囲内である。
【００４９】
（１）実施形態において、単眼レンズ１３及び双眼レンズ２３を除いて、紙や各種樹脂を素材としたシート状の材料から形成されており、折曲げを行うことで形状を構成している例を挙げて説明した。これに限らず、例えば、板状の材料から各部材を構成してもよいし、折曲げを行う部分の一部又は全部に、蝶番を配置してもよい。
【００５０】
（２）実施形態において、単眼レンズ保持部１０と双眼レンズ保持部２０と接続部３０とは、１枚のシート状の部材から切り出して構成されており、一体である例を挙げて説明した。これに限らず、単眼レンズ保持部１０と双眼レンズ保持部２０と接続部３０とのいずれかを別部材により構成してもよい。例えば、接続部３０について、伸縮性を備えた弾性部材により構成してもよい。また、ここで挙げた部位以外の他の部位についても、適宜別部品としたり別素材としたりしてもよい。
【００５１】
（３）実施形態において、表面における各種印刷等については、特に言及していないが、適宜表面に印刷等を行ってもよい。この場合、例えば、図２７及び図２８に例示した指かかりの位置を示す指標を印刷してもよい。また、使用しない側の蓋（単眼レンズ蓋部１４，１５、又は、双眼レンズ蓋部２４，２５）を正しく設定した状態で使用することを促す表示等を印刷してもよい。
【００５２】
（４）実施形態において、端末保持部（１１ｆ、２１ｆ、３０）が開閉可能であって、映像表示端末５００を挟み込んで利用する形態を例に挙げて説明した。これに限らず、例えば、利用する映像表示端末５００が特定の機器であるような場合には、端末保持部がより確実に映像表示端末５００を保持できる形態としてもよい。例えば、端末保持部を一辺のみにスリットを有した形態として、このスリットから映像表示端末５００を挿抜するような構成としてもよい。
【００５３】
なお、実施形態及び変形形態は、適宜組み合わせて用いることもできるが、詳細な説明は省略する。また、本発明は、以上説明した実施形態によって限定されることはない。
【符号の説明】
【００５４】
１０    単眼レンズ保持部
１１    筒状部
１１ａ  底面
１１ｂ  上面
１１ｃ  正面
１１ｄ  背面
１１ｅ  のりしろ部
１１ｆ  単眼側開放端部
１１ｇ  係合部
１１ｈ  端部
１２    単眼レンズ配置部（第一の壁面）
１２ａ  観察孔（開口部）
１３    単眼レンズ
１３ａ  フレネルレンズ部
１３ｂ  レンズ突出部
１４    単眼レンズ蓋部
１４ａ  係合爪部
１５    単眼レンズ蓋部
１５ａ  係合爪部
２０    双眼レンズ保持部
２１    筒状部
２１ａ  底面
２１ｂ  上面
２１ｃ  正面
２１ｄ  背面
２１ｅ  のりしろ部
２１ｆ  双眼側開放端部
２１ｇ  係合孔
２１ｈ  係合孔
２２    双眼レンズ配置部（第二の壁面）
２２ａ  観察孔（開口部）
２２ｂ  凹部
２２ｃ  接続辺
２２ｄ  凹部折曲げ線
２２ｅ  凹部折曲げ線
２２ｆ  壁面
２２ｇ  上面
２２ｈ  凹部折曲げ線
２３    双眼レンズ
２３ａ  フレネルレンズ部
２４    双眼レンズ蓋部
２４ａ  係合爪部
２５    双眼レンズ蓋部
２５ａ  係合爪部
２６    仕切り部
２７    差し込み部
３０    接続部
１００  端末閲覧器具（保持具）
５００  映像表示端末（表示装置）
【図１】
2018097069.tif 000003
【図２】
2018097069.tif 000004
【図３】
2018097069.tif 000005
【図４】
2018097069.tif 000006
【図５】
2018097069.tif 000007
【図６】
2018097069.tif 000008
【図７】
2018097069.tif 000009
【図８】
2018097069.tif 000010
【図９】
2018097069.tif 000011
【図１０】
2018097069.tif 000012
【図１１】
2018097069.tif 000013
【図１２】
2018097069.tif 000014
【図１３】
2018097069.tif 000015
【図１４】
2018097069.tif 000016
【図１５】
2018097069.tif 000017
【図１６】
2018097069.tif 000018
【図１７】
2018097069.tif 000019
【図１８】
2018097069.tif 000020
【図１９】
2018097069.tif 000021
【図２０】
2018097069.tif 000022
【図２１】
2018097069.tif 000023
【図２２】
2018097069.tif 000024
【図２３】
2018097069.tif 000025
【図２４】
2018097069.tif 000026
【図２５】
2018097069.tif 000027
【図２６】
2018097069.tif 000028
【図２７】
2018097069.tif 000029
【図２８】
2018097069.tif 000030
【図２９】
2018097069.tif 000031
【図３０】
2018097069.tif 000032
【図３１】
2018097069.tif 000033
【図３２】
2018097069.tif 000034